【手続補正書】
【提出日】平成16年3月12日(2004.3.12)
【手続補正１】
【補正対象書類名】明細書
【補正対象項目名】発明の名称
【補正方法】変更
【補正の内容】
【発明の名称】ディジタル情報信号記録再生装置およびその方法並びにディジタル情報信号再生装置およびその方法
【手続補正２】
【補正対象書類名】明細書
【補正対象項目名】特許請求の範囲
【補正方法】変更
【補正の内容】
【特許請求の範囲】
【請求項１】
ディジタル情報信号を記録媒体に記録し、上記記録媒体からディジタル情報信号を再生するようにしたディジタル情報信号記録再生装置において、
入力ディジタル情報信号に対して圧縮符号化を施す圧縮符号化手段と、上記圧縮符号化手段からの圧縮信号に対してエラー訂正符号化を行うエラー訂正符号化手段とを含む記録信号経路と、
上記記録信号路を通った信号を記録媒体に記録する記録手段と、
上記記録媒体からの信号を再生する再生手段と、
上記再生手段からの再生信号が供給され、上記エラー訂正符号化の復号を行うエラー訂正手段と、上記エラー訂正手段の出力が供給され、上記圧縮符号化を解く圧縮復号手段とを含む再生信号経路と、
上記圧縮符号化手段の出力以降から上記圧縮復号手段の入力までに至るバイパス信号経路と、
上記再生信号経路を通った信号と、上記バイパス信号経路を通った信号とを選択的に出力する選択手段とを有することを特徴とするディジタル情報信号記録再生装置。
【請求項２】
請求項１において、
上記エラー訂正手段が上記再生信号の入力部と、上記バイパス信号経路を通ったバイパス信号の入力部とを有し、上記エラー訂正符号化手段の出力から上記エラー訂正手段の入力間に上記バイパス信号経路が設けられることを特徴とするディジタル情報信号記録再生装置。
【請求項３】
請求項２において、
上記エラー訂正手段は、信号の順序を並び変えるためのメモリを有し、
上記再生信号と、上記バイパス信号とに独立のアドレスを割り振り、上記再生信号および上記バイパス信号を上記メモリの独立した領域に書込むことを特徴とするディジタル情報信号記録再生装置。
【請求項４】
請求項３において、
上記メモリに蓄えた上記再生信号および上記バイパス信号の一方を選択して上記メモリから読出すようになされ、
上記読出し位相を上記再生信号と上記バイパス信号とで同一とすることによって、上記メモリへの書込み時の上記再生信号と上記バイパス信号との位相差を取り除くようにしたことを特徴とするディジタル情報信号記録再生装置。
【請求項５】
ディジタル情報信号を記録媒体に記録し、上記記録媒体からディジタル情報信号を再生するようにしたディジタル情報信号記録再生方法において、
入力ディジタル情報信号に対して圧縮符号化を施し、上記圧縮符号化により発生した圧縮信号に対してエラー訂正符号化を行う記録信号処理を行うステップと、
上記記録信号処理がなされた信号を記録媒体に記録するステップと、
上記記録媒体からの信号を再生するステップと、
上記再生された信号に対して、上記エラー訂正符号化の復号を行い、エラー訂正後の信号に対して上記圧縮符号化を解く再生信号処理を行うステップと、
上記圧縮符号化がされた信号を圧縮符号化を解く処理にバイパスさせるステップと、
上記再生信号処理がされた信号と、上記バイパスされた信号とを選択するステップとを有することを特徴とするディジタル情報信号記録再生方法。
【請求項６】
ディジタル情報信号を記録媒体に記録し、上記記録媒体からディジタル情報信号を再生するようにしたディジタル情報信号再生装置において、
上記記録媒体からの信号を再生する再生手段と、
上記再生手段からの再生信号が供給され、上記エラー訂正符号化の復号を行うエラー訂正手段と、上記エラー訂正手段の出力が供給され、圧縮符号化を解く圧縮復号手段とを含む再生信号経路と、
圧縮符号化手段の出力以降から上記圧縮復号手段の入力までに至るバイパス信号経路と、
上記再生信号経路を通った信号と、上記バイパス信号経路を通った信号とを選択的に出力する選択手段とを有することを特徴とするディジタル情報信号再生装置。
【請求項７】
ディジタル情報信号を記録媒体に記録し、上記記録媒体からディジタル情報信号を再生するようにしたディジタル情報信号再生方法において、
上記記録媒体からの信号を再生するステップと、
上記再生された信号に対して、上記エラー訂正符号化の復号を行い、エラー訂正後の信号に対して圧縮符号化を解く再生信号処理を行うステップと、
上記圧縮符号化がされた信号を圧縮符号化を解く処理にバイパスさせるステップと、
上記再生信号処理がされた信号と、上記バイパスされた信号とを選択するステップとを有することを特徴とするディジタル情報信号再生方法。
【手続補正３】
【補正対象書類名】明細書
【補正対象項目名】０００１
【補正方法】変更
【補正の内容】
【０００１】
【発明の属する技術分野】
この発明は、ディジタル情報信号例えばディジタルビデオ信号を記録媒体に記録し、また、記録媒体からディジタルビデオ信号を再生するのに適用されるディジタル情報信号記録再生装置およびその方法並びにディジタル情報信号再生装置およびその方法に関する。


【手続補正４】
【補正対象書類名】明細書
【補正対象項目名】００１５
【補正方法】変更
【補正の内容】
【００１５】
従って、この発明の目的は、上述した従来のディジタルＶＴＲの問題点を解決することができるディジタル情報信号記録再生装置およびその方法並びにディジタル情報信号再生装置およびその方法を提供することを目的とするものである。


【手続補正５】
【補正対象書類名】明細書
【補正対象項目名】００１７
【補正方法】変更
【補正の内容】
【００１７】
さらに、この発明は、ディジタル情報信号を記録媒体に記録し、記録媒体からディジタル情報信号を再生するようにしたディジタル情報信号記録再生方法において、
入力ディジタル情報信号に対して圧縮符号化を施し、圧縮符号化により発生した圧縮信号に対してエラー訂正符号化を行う記録信号処理を行うステップと、
記録信号処理がなされた信号を記録媒体に記録するステップと、
記録媒体からの信号を再生するステップと、
再生された信号に対して、エラー訂正符号化の復号を行い、エラー訂正後の信号に対して圧縮符号化を解く再生信号処理を行うステップと、
圧縮符号化がされた信号を圧縮符号化を解く処理にバイパスさせるステップと、
再生信号処理がされた信号と、バイパスされた信号とを選択するステップとを有することを特徴とするディジタル情報信号記録再生方法である。
【手続補正６】
【補正対象書類名】明細書
【補正対象項目名】００１８
【補正方法】変更
【補正の内容】
【００１８】
また、この発明は、ディジタル情報信号を記録媒体に記録し、記録媒体からディジタル情報信号を再生するようにしたディジタル情報信号再生装置において、
記録媒体からの信号を再生する再生手段と、
再生手段からの再生信号が供給され、エラー訂正符号化の復号を行うエラー訂正手段と、エラー訂正手段の出力が供給され、圧縮符号化を解く圧縮復号手段とを含む再生信号経路と、
圧縮符号化手段の出力以降から圧縮復号手段の入力までに至るバイパス信号経路と、
再生信号経路を通った信号と、バイパス信号経路を通った信号とを選択的に出力する選択手段とを有することを特徴とするディジタル情報信号再生装置である。
さらに、この発明は、ディジタル情報信号を記録媒体に記録し、記録媒体からディジタル情報信号を再生するようにしたディジタル情報信号再生方法において、
記録媒体からの信号を再生するステップと、
再生された信号に対して、エラー訂正符号化の復号を行い、エラー訂正後の信号に対して圧縮符号化を解く再生信号処理を行うステップと、
圧縮符号化がされた信号を圧縮符号化を解く処理にバイパスさせるステップと、
再生信号処理がされた信号と、バイパスされた信号とを選択するステップとを有することを特徴とするディジタル情報信号再生方法である。